(57)【特許請求の範囲】
【請求項１】
エタノール３０〜６０重量％と、カンゾウ抽出物０．００１〜０．０１重量％とを含有することを特徴とする殺菌・消臭清浄剤組成物。
【発明の詳細な説明】
【０００１】
【発明の属する技術分野】
本発明は、キッチン、トイレ、風呂場、洗面所等で優れた殺菌及び消臭効果を有する殺菌・消臭清浄剤組成物に関する。
【０００２】
【従来の技術】
一般に、キッチン、トイレ、風呂場、洗面所等の水まわりは、雑菌が繁殖しやすく、悪臭も発生しやすい環境である。特に、キッチンは食品を扱うため、雑菌の繁殖には充分注意すべきであり、調理器具や食器類、またそれらを扱う手の洗浄には極めて衛生的でなければならない。また、生ゴミから発生する悪臭も不快であり消臭すべきものである。
【０００３】
従来において、殺菌剤は種々知られているが、これらは肌荒れを起こしたり、臭いが強いなど使いにくい場合が多い。更に、キッチン、トイレ、風呂場、洗面所など一般家庭内で使用するには必要以上に効果が強すぎ、霧状に散布するとかえって人体に害を及ぼすものもある。
【０００４】
一方、従来において、消臭剤の成分も多種多様であり、キッチンで使用した場合、食品や調理器具、食器類にかかると安全性に不安を抱くものもある。また、マスキング効果により消臭するものもあるが、この方法は臭いが強く、キッチンでの使用には不適切であった。
更に、殺菌効果と消臭効果とを同時に満足するものはなく、殺菌及び消臭には、殺菌剤、消臭剤を夫々個別に用意する必要があり、使用、保管ともに繁雑のものとなっていた。
【０００５】
他方、エタノールは以前から殺菌力を有することが知られており、殺菌剤として多々用いられてきたが、エタノール単独では、その消臭力は知られていなかった。
また、カンゾウ抽出物は、抗菌作用等が知られており、例えばカンゾウ又はその同属植物の油溶性エキスからなる口腔用組成物が報告されている（特開平４−１６４０２１号公報等）。しかしながら、カンゾウ抽出物を用いたものに着色や沈殿等が生じるため、カンゾウ抽出物を使用し難い等の課題を有していた。
【０００６】
【発明が解決しようとする課題】
本発明は、上記従来の課題に鑑み、キッチン、トイレ、風呂場、洗面所等で優れた殺菌及び消臭効果を有し、更に、通常の手洗い後の除菌及び殺菌も手軽にできる殺菌・消臭清浄剤組成物を提供することを目的とする。
【０００７】
【課題を解決するための手段】
本発明者らは、上記課題を解決するために鋭意研究を重ねた結果、エタノールとカンゾウ抽出物とを夫々特定の含有量の範囲で組み合わせて用いることにより、殺菌力と消臭力とが相乗的に効果を発揮し得るこれまでにない優れた殺菌・消臭性能を有し、また、上記課題のない一般家庭等どこでも安心して使用可能な殺菌・消臭清浄剤組成物を見い出し、本発明を完成するに至ったのである。
【０００８】
すなわち、本発明の殺菌・消臭清浄剤組成物は、エタノール３０〜６０重量％と、カンゾウ抽出物０．００１〜０．０１重量％とを含有することを特徴とする。
【０００９】
【発明の実施の形態】
以下、本発明の実施の形態を詳細に説明する。
本発明の殺菌・消臭清浄剤組成物は、エタノール３０〜６０重量％と、カンゾウ抽出物０．００１〜０．０１重量％とを含有することを特徴とするものである。
【００１０】
本発明の殺菌・消臭清浄剤組成物（以下、単に、「本発明の組成物」ということもある。）で用いられるエタノールとしては、例えば発酵エタノール、合成エタノール等が挙げられ、キッチンで使用する場合には発酵エタノールが好ましい。尚、該エタノールには変性剤が添加されていても良い。
【００１１】
変性剤としては、例えばメタノール、アセトアルデヒド、プロピオン酸エチル、食品用フレーバー等が挙げられ、中でもキッチンで使用する場合には食品用フレーバーが好ましく用いられ、食品用フレーバーのなかでもフレーバーＨ−Ｎｏ．１３がより好ましく用いられる。
【００１２】
エタノールの配合量としては、３０〜６０重量％、好ましくは、４０〜６０重量％の範囲から適宜選択される。エタノールの配合量が３０重量％未満では、殺菌効果が低下し、６０重量％を超えると、エタノール臭が強く、気分が悪くなる等官能的に好ましくなく、また、手荒れ等の問題が生じ、更に、引火性の恐れもある。
【００１３】
本発明で用いられるカンゾウ抽出物は、マメ科カンゾウ属（Ｇｌｙｃｙｒｒｈｉｚａ  ｓｐ．）の植物（例えばＧｌｙｃｙｒｒｈｉｚａ  ｇｌａｂｒａ  Ｌ．，Ｇ．ｇｌａｂｒａ  Ｌ．ｖａｒ．ｇｌａｎｄｕｌｉｆｅｒａ  Ｒｅｇ．  ｅｔ  Ｈｅｒｄ．，Ｇ．ｅｃｈｉｎａｔａ  Ｌ．，Ｇ．ｕｒａｌｅｎｓｉｓ  Ｆｉｓｃｈ．  ｅｔ  ＤＣ．等）の根及び／又は根茎等を原料として用い、これを水及び／又は有機溶媒で抽出することにより得られるものを用いれば良い。これらの原料は、生のものや乾燥したものをそのままの状態或いは粉末等にしたものを用いれば良い。
【００１４】
カンゾウ抽出物としては、水で抽出されるものが好ましく用いられ、水で抽出され且つ食品添加物として使用可能なものがより好ましく用いられる。
水抽出物は、有機溶媒抽出物より人体への安全性や、製剤化したときの安定性等に優れている。
【００１５】
抽出に用いられる有機溶媒としては、例えばメタノール，エタノール，プロパノール，イソプロパノール，ブタノール等の低級アルコール類、例えば酢酸エチル，酢酸ブチル，プロピオン酸エチル等のエステル類、例えばジクロロメタン，クロロホルム，１，２−ジクロロエタン等のハロゲン化炭化水素類、例えばアセトン，メチルエチルケトン，イソブチルメチルケトン等のケトン類等が挙げられる。これらは夫々単独で用いても２種以上適宜組み合わせて用いても良い。
【００１６】
カンゾウ抽出物の配合量としては、０．００１〜０．０１重量％の範囲から適宜選択される。カンゾウ抽出物の配合量が０．０００１重量％未満では、殺菌効果並びに消臭効果が低下し、０．１重量％を超えると、着色、沈殿が生じる等の問題があり、製剤化し難くなり、また、コスト的にも不経済である。
【００１７】
本発明の組成物のｐＨとしては、通常４〜８、好ましくは４．５〜７．５の範囲から適宜選択される。尚、ｐＨが４未満または８を越えると、トイレ、風呂場、洗面所等の配管部分、キッチンで使用する包丁や調理器具等の、被洗物になる金属等の材質に、サビや変色等が生じることが懸念される。
【００１８】
本発明の組成物には精製水等の水の他に必要に応じてその性質を損なわない範囲で他の成分を添加しても良い。添加可能な成分としては、防腐剤、酸化防止剤、紫外線吸収剤、ｐＨ調整剤、界面活性剤、色素、香料等が挙げられる。
【００１９】
本発明の組成物で殺菌・消臭可能なもの及び場所としては特に限定されないが、例えば包丁等の調理器具、例えば流し台、三角コーナー、生ゴミ、冷蔵庫、食卓等のキッチンまわり、例えば手等の皮膚、例えばコップ、皿等の食器類、トイレ、風呂場、洗面所、医療器具等が挙げられる。
【００２０】
本発明の組成物を用いて上記殺菌・消臭可能なものを殺菌・消臭するには例えば下記の如くして行えば良い。
即ち、本発明の組成物で上記殺菌・消臭可能なものを浸漬，噴霧（例えばトリガースプレー、ディスペンサースプレー、エアゾール等の形態が挙げられる。），塗布等の方法によって処理すれば良い。
処理後の後処理等は、風乾、拭きとり等適宜の手段によって行えば良い。
【００２１】
本発明の殺菌・消臭清浄剤組成物は、エタノール３０〜６０重量％と、カンゾウ抽出物０．００１〜０．０１重量％とを夫々特定の含有量の範囲で組み合わせることが特徴である。これにより、従来有していたエタノール及びカンゾウ抽出物を用いる場合の課題を解決したばかりでなく、両者を組み合わせたことにより、殺菌及び消臭力が同時に得られる、という相乗的な効果を奏するものである（これらの点については、後述する実施例等で更に詳述する）。
【００２２】
【実施例】
以下に、実施例及び比較例等を挙げて本発明を更に詳細に説明するが、本発明は実施例によって何ら限定されるものではない。
【００２３】
［実施例１〜２及び比較例１〜３．（組成物の調製）］
下記表１に示した割合の組成物を夫々調製した。
【００２４】
上記実施例１〜２及び比較例１〜３で得られた殺菌・消臭清浄剤組成物を用いて下記試験方法により殺菌力試験及び消臭力試験を行った。これらの評価結果を下記表１に併せて示す。
【００２５】
（１）殺菌力試験
▲１▼試験菌
試験菌として黄色ブドウ球菌（Ｓ．ａｕｒｅｕｓＦＤＡ２０９Ｐ）を用いた。
▲２▼菌液の調製
ＳＣＤＬＰ培地で３７℃、１８〜２４時間培養した試験菌をＳＣＤＬＰ培地に再度接種し、３７℃で１８〜２４時間培養した。培養後、培養した菌体を生理食塩水に均一に分散させ、１ｍｌ当たりの菌数が約１０８となるように調製した。
▲３▼試験方法
実施例１〜２及び比較例１〜３で得られた組成物  ５ｍｌを夫々とり、これに▲２▼で得られた菌液  ５０μｌを撹拌しながら添加した。１５秒後、これをＳＣＤＬＰブイヨンで１００倍に希釈して殺菌反応を停止させた後、生存している菌数をＳＣＤＬＰ寒天培地を用いた混釈平板培養法（３５℃で４８時間）により、生菌数を測定した。
【００２６】
（２）消臭力試験（トリメチルアミンの消臭力試験）
２００ｍｌのガラス瓶に実施例１〜２及び比較例１〜３で得られた組成物  １０ｇを夫々取り、これにトリメチルアミンのエタノール溶液（５μｇ／μｌ）  ５μｌを添加し、水浴中、２５℃で１０分間振とうさせた後、ヘッドスペースのトリメチルアミン濃度を検知管で測定し、試験液１ｇ当たりのトリメチルアミン捕捉量を消臭力として算出した。
【００２７】
【表１】
0003597688.tif 000002
【００２８】
（殺菌力試験の考察）
表１の結果から、比較例１〜３で得られた組成物に比べ実施例１及び２で得られた本発明の殺菌・消臭清浄剤組成物は、１５秒で菌をすべて死滅させることから、本発明の殺菌・消臭清浄剤組成物は、優れた殺菌力を有していることが判る。
【００３０】
（消臭力試験の考察）
表１の結果から、実施例１及び２で得られた本発明の殺菌・消臭清浄剤組成物は、比較例１〜３で得られた殺菌・消臭清浄剤組成物に比べ、２５０００倍のトリメチルアミンを捕捉したことから、本発明の殺菌・消臭清浄剤組成物は、優れた消臭力を有することが判る。
【００３１】
以上の結果からも明らかなように、エタノールとカンゾウ抽出物とを組み合わせた本発明の殺菌・消臭清浄剤組成物は、殺菌効果と消臭効果という両方の効果を同時に有するものであることが判る。
【００３２】
【発明の効果】
本発明の殺菌・消臭清浄剤組成物は、キッチン、トイレ、風呂場、洗面所等で優れた殺菌及び消臭効果を有し、更に、通常の手洗い後の除菌及び殺菌も手軽にできる、という点に顕著な効果を奏するものである。